(57)【特許請求の範囲】
【請求項１】
液体流出物又は廃水の中へガスを注入するための浮遊式機器であって、より具体的には、酸素を豊富に含むガスを表面から槽の中へ注入するための浮遊式機器であって、以下の要素、すなわち、
−  前記液体流出物又は廃水の上方に配設されることが意図されている駆動デバイスであって、垂直方向の出力シャフト（８）が設けられ、その端部に、前記液体流出物又は廃水に浸漬されるプロペラ（６）が装備されている、駆動デバイスと、
−  傾斜したブレードを備えるモバイルエアレーター（９）の上方または下方に位置付けられている注入デバイス（７）を備える予混合デバイス（５）であって、前記プロペラが、前記予混合デバイス（５）の下において、前記出力シャフトの前記端部に位置している、予混合デバイス（５）とを備え、
前記注入デバイス（７）が、トーラス形状であり、多孔性の要素のアセンブリにより形成されている、浮遊式機器。
【請求項２】
前記プロペラが、０．３から１の範囲にあるポンピング流量数ＮQpを有し、
Ｑp＝ＮQpｘＮｘＤ3であり、ここで、Ｑpが、前記プロペラのポンピング速度であり、Ｎが、前記プロペラの回転速度であり、Ｄが、前記プロペラの直径であることを特徴とする、請求項１に記載の機器。
【請求項３】
前記注入デバイスが、トーラスであり、注入オリフィスが設けられており、前記プロペラの直径に内接される円の中に位置付けられており、前記トーラスが、前記プロペラの上方に、前記プロペラの前記直径の０．０１倍から１．５倍の間の距離に位置付けられていることを特徴とする、請求項１に記載の機器。
【請求項４】
前記注入デバイスが、トーラスであり、注入オリフィスが設けられており、前記トーラスが、前記プロペラの直径の２０％から２００％の間の直径を有することを特徴とする、請求項１に記載の機器。
【請求項５】
前記注入デバイスが、トーラスであり、注入オリフィスが設けられており、前記トーラスの内部スペースが、異なるガスを供給されることが可能な少なくとも２つの別々のゾーンへ区分化されていることを特徴とする、請求項１に記載の機器。
【請求項６】
前記注入デバイスと傾斜したブレードを備える前記モバイルエアレーターとの間の距離が、前記モバイルエアレーターの直径の１％から２０％の間であることを特徴とする、請求項１から５までのいずれか一項に記載の機器。
【請求項７】
前記注入デバイスが、多孔性のキャンドルフィルタータイプ、または多孔性のプレートタイプ、または穿孔されたプレートタイプの多孔性の要素のアッセンブリにより形成されており、前記多孔性の要素が、合計で３つであり、前記プロペラの垂直軸の上に中心を置いた垂直方向円筒体によって画定されている体積部の中に位置しており、前記垂直方向円筒体が、前記プロペラの直径の少なくとも３倍に等しい外径を有し、前記プロペラの直径の少なくとも３倍に等しい高さを有することを特徴とする、請求項１に記載の機器。
【請求項８】
１つまたは複数の浮遊体（３）の存在のおかげで浮遊しており、前記浮遊体の下側面と前記プロペラの上側前縁部との間の距離が、前記プロペラの直径の０．５倍から１．５倍の間であることを特徴とする、請求項１から７までのいずれか一項に記載の機器。
【請求項９】
傾斜したブレードを備える前記モバイルエアレーターが、２つから１２個のブレードを含むことを特徴とする、請求項１から８までのいずれか一項に記載の機器。
【請求項１０】
傾斜したブレードを備える前記モバイルエアレーターが、前記注入デバイスの下方に、前記注入デバイスから５ｍｍから１００ｍｍの間の距離に位置付けられていることを特徴とする、請求項１から９までのいずれか一項に記載の機器。
【請求項１１】
少なくとも２つのプレート（１１）のアッセンブリを備え、前記少なくとも２つのプレート（１１）のアッセンブリは、実質的に平行六面体または台形の形態を備え、水位線の下方に位置付けされており、前記プレートが、一方の端部において本体部に固定され、前記注入デバイスの構成要素に完全にまたは部分的に接合されており、前記プレートが、前記プロペラの駆動軸に向けて方向付けられていることを特徴とする、請求項１から１０までのいずれか一項に記載の機器。
【発明の詳細な説明】
【技術分野】
【０００１】
本発明は、液体流出物または廃水の中へガスを注入することを可能にする機器の分野に関する。特に、本発明は、生物学的な槽をエアレーションする方法に関連し、生物学的な槽の中で、酸素を豊富に含むガス、または、ＣＯ2を含む混合物の注入によって、スラッジが活性化される。
【０００２】
本発明の目的のうちの１つは、現代の機器の制約を除去すると同時に、デバイスのエネルギー消費の最適化を可能にする新規な浮遊式機器を提案することである。
【背景技術】
【０００３】
流出物の好気性の生物学的な処理は、一般的に、これらの流出物をバイオマス（微生物）に接触させるということから構成され、バイオマスは、有機分子を変化させることによって、その中に含有される汚染物質を分解するということが思い起こされるであろう。したがって、バイオマスを給送するような方式で、ガス（一般的に、含酸素ガス）を、槽の中に含有されている流出物の中へ注入することが知られている。この目的のために、流出物の中へガスを注入するための多数のデバイスが、この市場に提供されている。システムの多くは、浸漬されているか、または、浮遊しているかのいずれかである。
【０００４】
また、一般的に、それらは、流出物を撹拌し、含酸素ガスの注入が、撹拌と組み合わせられ、流出物の中の含酸素ガスのより良好な溶解を可能にする。この溶解は、デバイスの移動容量（transfer capacity）によって測定される。液体の撹拌と、液体の中へのガスの注入とのためのこれらのデバイスの多くにとって、液体の中へのガスの移動の一部は、ベンチュリーまたはタービンなどのような、ガス／液体混合手段によって達成され、液体の中にガスの乳状液を形成し、移動の残りは、液体の中の乳状液の分散と同時に得られる。
【０００５】
これらの撹拌および注入デバイスの多くは、限定された注入容量を有する（液体の中へガスを注入する手段のレベルで、ガスの体積が、液体の体積に対して大きくなり過ぎるので、特定のガス注入流量を超えると、デバイスが閉塞する）ということが観察されてきた。処理槽の中に含有されている液体の中により多くのガスを移動および溶解させることは可能であろうが、デバイスは、ガス必要量の全量を提供することができない。
【０００６】
酸素を豊富に含むガスの注入によってエアレーションを可能にする浮遊システムは、比較的に複雑な技術を使用し、比較的に複雑な技術は、製造上と使用上とのコスト的な制約につながり、結果として、それらの使用を限定する。
【０００７】
説明目的の例として、文献ＥＰ−９９５４８５Ａ１を引用することが可能であり、それは、酸素を豊富に含むガスを非常に高い移動効率で槽の中へ移動させることを可能にする浮遊式機器を説明している。しかし、それは、この目的のために、複雑な技術を使用しており、ガス／液体乳状液が作り出されることを可能にすることをタービンに要求し、それは、この乳状液を槽の中に分散させるように設計されているプロペラに向けて、この乳状液が方向付けられることを可能にするシステムによって補完される。
【０００８】
そのような要素と、タービンと、ガス／液体乳状液と分散プロペラとの方向付けを可能にするシステムとの組み合わせは、以下の主な結果を有する。
【０００９】
−  高いエネルギー消費（タービンが、機器によって消費される全エネルギーのおおよそ４０％を消費する）と、
−  高い機器重量（高い材料コストと、浮遊体の選択に関する制約とを暗示する）と、
−  高い機器製造コストとメンテナンスコストとの結果を招く、製造と組み立てとの制約と、
−  とりわけ、タービンと、タービンによって発生させられるガス／液体乳状液の方向付けを可能にするシステムとの使用によって引き起こされる、機器（上記参照）によって注入され得るガスの流量の制限。
【発明の概要】
【００１０】
したがって、本発明の目的のうちの１つは、酸素を豊富に含むガスの注入を可能にし、先行技術のデバイスの技術的な欠点を限定または除去しながら、それらの先行技術のデバイスと同等のガス移動効率を有する浮遊式機器を提案することである。
【００１１】
この目的を実現するために、本明細書で、以下の目的を実現することを目指してタービンを除去することが提案される。
【００１２】
−  消費されるエネルギーのおおよそ３０％の低減と、
−  タービンによって発生させられる流れを案内するための主要要素の除去と、
−  機器の閉塞制限（blocking limit）の５０％を超える増加と、
−  機器の重量のおおよそ２５％の低減と、
−  その製造と、組み立てと、メンテナンスとの大幅な簡単化と、
−  製造コストとメンテナンスコストとの低減と、
−  同等に消費される電力に対して、機器の作動分野の増加。
【００１３】
しかし、タービンを除去することは、微細な気泡（典型的に、サイズが０．８ｍｍから２．５ｍｍの範囲にある）の発生、または、ガスの一部の移動速度などのような、望まれる機能を除去する結果を有するので、当業者に否定的に見える可能性がある。
【００１４】
以下に、より詳細に説明されるように、提案されている本発明の新規な機器は、これらの基本的な機能を交換または補償するように設計されており、この目的のために以下の要素を組み合わせる。
【００１５】
−  液体の上方に配設されることが意図されている駆動デバイスであって、駆動デバイスは、垂直方向の出力シャフトが設けられ、その端部に、液体に浸漬されるプロペラが装備されており、プロペラは、好ましくは、高いカバー率（以下参照）によって特徴付けられる、駆動デバイスと、
−  予混合タイプの反応装置と呼ばれることもあるデバイスであって、デバイスは、注入デバイス（例えば、注入トーラス）を備え、注入デバイスは、傾斜したブレードを備えるモバイルエアレーターの上方または下方に位置付けられている、デバイスと、
−  プロペラが、シャフトの端部において、予混合反応装置の下方に位置すること。
【００１６】
プロペラに適用されるような「カバー率」の表現は、ブレードによってカバーされる領域とプロペラが内接される円形の領域との比を意味している。
【００１７】
上述のように、機器は、注入デバイスを含み、注入デバイスは、好ましくは、多数のオリフィスが設けられたトーラスであり、オリフィスは、ガスの規則的な拡散のために設計されており、プロペラの直径の中に内接される円の中に位置付けられている。出願人によって行われた研究は、ガスの均質な拡散を実現する点においてだけでなく、可能性のある閉塞の現象を低減し、容易な設置と低減されたメンテナンスとに有利に働くという点においても、注入トーラスの有利な性能を実証した。トーラスのオリフィスは、好ましくは、可能性のある閉塞を防止するために、下向きに方向付けられる。
【００１８】
本発明によれば、トーラスが好ましいが、本発明の範囲を逸脱することなく、異なる形状の多孔性の要素（プレート、キャンドルフィルター、または、微細に穿孔されたプレートなど）などのような他の注入デバイスを使用することを想定することが、同等に可能である。
【００１９】
反応装置の基本的な機能が、ディフューザーと傾斜したブレードを備えるモバイルエアレーターとを組み合わせることによって得られ、それは、機器の他の要素と、特に分散プロペラとに対して慎重に位置付けられる。この組み合わせと、この位置決めとによって発生させられる流体圧の流れは、反応装置の中の最適化された流れにつながる。「ディフューザーと傾斜したブレードを備えるモバイルエアレーター」との対は、全体の機器を構成する様々な要素の要求性能と、選択と、組み合わせと、位置決めとを実現するのに不可欠な予混合反応装置の機能を提供し、一方では、予混合の生成を確実にし、他方では、槽の中のその分散を確実にし、槽の中への最適な移動が得られることを可能にする。
【００２０】
本発明によって提案されている配置は、予混合器から来る予混合物が所定の領域に拡散されることを可能にし、所定の領域では、液体速度場が、その強度とその方向との観点から最適であり、気泡を可能な限り遠くに推進し、合体の現象を防止する。
【００２１】
当業者は、本発明の機器の中に傾斜したブレードを備えるモバイルエアレーターが存在することに同様に驚かされるであろう。
【００２２】
傾斜したブレードを備えるモバイルエアレーターは、液体の中のガスの分散において、一般的に使用されない。
【００２３】
しかし、本発明の場合には、高いカバー率を有するプロペラの使用に起因して、および、様々なコンポーネントの中に前記モバイルエアレーターを位置付けることに起因して、この使用が、可能であり、望ましい。
【００２４】
したがって、傾斜したブレードを備えるモバイルエアレーターが、以下のものを発生させるということを実証することが可能である。
【００２５】
−  反応性混合物の均質性に有利に働く軸線方向と半径方向との流れと、
−  小さいガス気泡（モバイルエアレーターの高いせん断力係数に起因する）と、
−  主にプロペラによって生成される機器の流体圧の流れの低い乱れ。
【００２６】
また、傾斜したブレードを備えるモバイルエアレーターは、この機能のために従来から使用されているモバイルエアレーターと比較して、低減されたエネルギー消費によって特徴付けられる。
【００２７】
要約すると、本技術分野では、真っ直ぐのブレードを備えるモバイルエアレーターだけが見られており、それは、純粋に半径方向の流れだけを生成し、したがって、より高い抵抗を作り出し、それによって、より高いエネルギー消費を作り出す。
【００２８】
したがって、本発明は、液体流出物または廃水の中へガスを注入するための浮遊式機器に関し、より具体的には、酸素を豊富に含むガスを表面から槽の中へ注入するための浮遊式機器であって、浮遊式機器は、以下の要素を備える。
【００２９】
−  液体の上方に配設されることが意図されている駆動デバイスであって、駆動デバイスは、垂直方向の出力シャフトが設けられ、その端部に、液体に浸漬されるプロペラが装備されている、駆動デバイスと、
−  傾斜したブレードを備えるモバイルエアレーターの上方または下方に位置付けられている注入デバイス（例えば、注入トーラス）を備える予混合デバイスであって、プロペラが、予混合反応装置の下において、シャフトの端部に位置している、予混合デバイス。
【００３０】
そのうえ、本発明は、以下の特徴のうちの１つまたは複数を適用することが可能である。
【００３１】
−  プロペラが、０．３から１の範囲にあるポンピング流量数ＮQpを有し、
Ｑp＝ＮQpｘＮｘＤ3であり、ここで、Ｑpが、プロペラのポンピング流量であり、Ｎが、プロペラの回転速度であり、Ｄが、プロペラの直径である。
【００３２】
−  注入デバイスが、トーラスであり、注入オリフィスが設けられており、プロペラの直径に内接される円の中に位置付けられており、トーラスが、プロペラの上方に、プロペラの直径の０．０１倍から１．５倍の範囲にある距離に位置付けられており、好ましくは、プロペラの上方に、プロペラの直径の０．０３倍から０．３倍の範囲にある距離に位置付けられている。
【００３３】
−  注入デバイスが、トーラスであり、注入オリフィスが設けられており、トーラスが、プロペラの直径の２０％から２００％の間の直径を有し、有利には、プロペラの直径の３０％から１２０％の直径を有する。
【００３４】
−  注入デバイスが、トーラスであり、注入オリフィスが設けられており、トーラスの内部スペースが、異なるガスを供給されることが可能な少なくとも２つの別々のゾーンへ区分化されている。
【００３５】
例として、トーラスのゾーンのうちの１つに酸素を供給し、かつ、もう一方のゾーンに、または、他のゾーンのうちの１つに、Ｏ2／Ｏ3の混合物を供給することが可能である。異なるガス（Ｏ2／Ｏ2＋Ｏ3、Ｏ2／空気、Ｏ2または空気／ＣＯ2など）を有することが可能であるということ、または、異なる質のガスによって供給することが可能であるということは、いくつかの用途に対して、とりわけ有利である。したがって、例として、完全に別々のネットワークを使用することによって（酸素ラインを低品質の空気で汚染するリスクがない、酸素が空気圧縮機などに向かって戻るリスクがない）、あらゆる安全性リスクを除去することによって、同時にまたは代替的な方式で、空気と酸素とを注入することを考慮することが可能である。
【００３６】
また、ＣＯ2の注入のために、ｐＨを調整することとの関連で、同じ機器を使用することを考慮することも可能であり、同時に、または、代替的な方式で、エアレーションを実施するために酸素を備えるガスを注入することが可能である。
【００３７】
異なる流量／圧力を有するガスとの関連で、互いに対して圧力と流量とを制御することに関連する問題が、除去される。
【００３８】
−  一変形例では、注入デバイスは、２つの半トーラスによって形成され、それぞれの半トーラスは、既に上述のように、異なるガスを供給されることが可能である。
【００３９】
−  注入デバイスが、多孔性のキャンドルフィルタータイプ、または多孔性のプレートタイプ、または穿孔されたプレートタイプの多孔性の要素のアッセンブリにより形成されており、多孔性の要素が、好ましくは、合計で３つであり、プロペラの垂直軸の上に中心を置いた垂直方向円筒体によって画定されている体積部の中に位置しており、垂直方向円筒体が、好ましくはプロペラの直径の少なくとも３倍に等しい外径を有し、好ましくはプロペラの直径の少なくとも３倍に等しい高さを有する。
【００４０】
−  浮遊体の下側面とプロペラの上側前縁部との間の距離が、プロペラの直径の０．５倍から１．５倍の範囲にあり、好ましくは、プロペラの直径の０．８倍から１．０倍の範囲にある。
【００４１】
−  注入トーラスと傾斜したブレードを備えるモバイルエアレーターとの間の距離が、モバイルエアレーターの直径の１％から２０％の範囲にあり、好ましくは、モバイルエアレーターの直径の２．５％に近い。
【００４２】
−  傾斜したブレードを備えるモバイルエアレーターが、２つから１２個のブレード、好ましくは４つから８つのブレード、好ましくはシャフトの端部に位置するプロペラのブレード数の偶数倍を含む。
【００４３】
−  傾斜したブレードを備えるモバイルエアレーターが、注入器の下方に、５ｍｍから１００ｍｍの範囲にある距離に位置付けられている。
【００４４】
−  注入されるガスは、２５％から１００％の範囲にある酸素含有量を有するガス、または、オゾンを含有するガス、または、そのＣＯ2含有量が５％から１００％の範囲にある二酸化炭素を含有するガス、または、８０％から１００％の窒素を備えるガスである。
【００４５】
本発明の他の特徴と利点とは、非限定的な例として与えられている実施形態の以下の説明から、および、添付の図面を参照して、明らかになるであろう。
【図面の簡単な説明】
【００４６】
【図１】トーラスタイプの注入手段を使用する本発明の機器の一実施形態を示す部分的な概略断面図。
【図２】６つのブレードを含む本発明の傾斜したブレードを備えるモバイルエアレーターの実施形態を示す図。
【図３】防振プレートを備える本発明の実施形態のうちの１つの詳細図。
【発明を実施するための形態】
【００４７】
図１は、浮遊式機器において、本発明にしたがって、液体流出物または廃水の槽１の中へガスを注入するために、下記を示している。
【００４８】
−  液体１の上方に配設されることが意図されている駆動デバイスであって、駆動デバイスは、垂直方向の出力シャフト８が設けられ、その端部に、液体に浸漬されるプロペラ６が装備されている、駆動デバイスと、
−  １つまたは複数の浮遊体３の存在のおかげで浮遊する装置と、
−  トーラス形状の注入デバイス７（ガス入口部２によって供給される）を備える予混合デバイス５であって、注入デバイス７は、傾斜したブレードを備えるモバイルエアレーター９の上方に位置付けられており、プロペラが、予混合反応装置の下において、シャフトの端部に位置している、予混合デバイス５。本明細書で示されている実施形態は、トーラス７の場合を図示しており、その内部スペースは、連続的で区分化されておらず、単一の入口部２を介してガスを供給されているが、当業者は、少なくとも２つの別々のゾーンへ区分化された内部スペースを備え、異なるガスを供給されることが可能な、区分化されたトーラスの場合には、２つ以上のガス入口部２が、トーラスの上に設けられることとなるということを理解することとなる。
【００４９】
−  表されている実施形態では、プロペラのブレードの数は３つであり、モバイルエアレーターのブレードの数は６つである。
【００５０】
−  カウンターブレードのシステム４（ここで、示されている実施形態に関して、デバイスは、３つのカウンターブレードを備えている）は、一方では、予混合領域の境界を画定することを可能にするだけでなく、渦の形成を防止し、機器を駆動して回転させる（機器は、こまのように回ることとなる）。そのうえ、このカウンターブレードのシステムは、軸線方向の流れの配向を可能にする。
【００５１】
図１は、単なる機器の部分的な図表示であり、それは、本発明に属する必須要素をより明確に示すために、二次的なまたは随意的な細部の全てを示しているとは限らず、したがって、とりわけ、従来的に、そのような注入機器の構成要素に、ここでは、例えば、浮遊体、トーラス、または、カウンターブレードにも接合されるアッセンブリの金属製本体部は、示されていない。したがって、図１は、２つのカウンターブレード４を接続する２つの補強バー１０を示しており、前記バーは、そのような本体部の一部を形成している。
【００５２】
図３は、本発明を実施する有利な様式のうちの１つを詳細図で図示しており、それは、非常に興味深い構成であると見ることが可能であり、とりわけ、デバイスの振動を制限することが可能である。この有利な様式では、デバイスは、平行六面体または台形の形態を備えるプレート１１（ここでは、合計で３つ（１つのカウンターブレード当たり１つのプレート））を備え、前記プレートは、一方の端部において、本体部１０に固定され、例えば、カウンターブレード４（それらは、そのような本体部の一部も形成している）のうちの１つに固定され、プレートは、プロペラの駆動軸に向けて方向付けられており、一方では、水位線の下方に位置付けされている。
【００５３】
以下の技術的な説明によって全く制限されることなく、出願人は、そのような構成が、プロペラによって吸い込まれる液体の流れを部分的に導き、潜在的なシステムの振動の低減に貢献することが可能であるということを提案してきた。
【００５４】
図１と図２との関連で説明されているような機器は、書類仕事（paperwork）からの流出物を処理する生物的酸化槽の中へ酸素を注入するために使用されてきた。
【００５５】
５３．３ｋｇ／ｈと評価された酸素要求量に関して、４５ｍ3／ｈの酸素の流量が、槽の中へ注入された。計算される移動効率は、９１．３％に近い値と評価され、それは、素晴らしい性能を表している。
【００５６】
したがって、機器の簡単化が、それとは逆に、得られる性能を低下させるのではないということが実証された。
以下に、出願当初の特許請求の範囲に記載の事項を、そのまま、付記しておく。
［１］
液体流出物または廃水の中へガスを注入するための浮遊式機器であって、より具体的には、酸素を豊富に含むガスを表面から槽の中へ注入するための浮遊式機器であって、以下の要素、すなわち、
−  前記液体の上方に配設されることが意図されている駆動デバイスであって、垂直方向の出力シャフト（８）が設けられ、その端部に、前記液体に浸漬されるプロペラ（６）が装備されている、駆動デバイスと、
−  傾斜したブレードを備えるモバイルエアレーター（９）の上方または下方に位置付けられている注入デバイス（７）を備える予混合デバイス（５）であって、前記プロペラが、前記予混合反応装置の下において、前記シャフトの前記端部に位置している、予混合デバイス（５）とを備える、浮遊式機器。
［２］
前記プロペラが、０．３から１の範囲にあるポンピング流量数ＮQpを有し、
Ｑp＝ＮQpｘＮｘＤ3であり、ここで、Ｑpが、前記プロペラのポンピング速度であり、Ｎが、前記プロペラの回転速度であり、Ｄが、前記プロペラの直径であることを特徴とする、請求項１に記載の機器。
［３］
前記注入デバイスが、トーラス形状であることを特徴とする、請求項１または請求項２
に記載の機器。
［４］
前記注入デバイスが、トーラスであり、注入オリフィスが設けられており、前記プロペラの前記直径に内接される円の中に位置付けられており、前記トーラスが、前記プロペラの上方に、前記プロペラの前記直径の０．０１倍から１．５倍の間の距離に位置付けられており、好ましくは、前記プロペラの上方に、前記プロペラの前記直径の０．０３倍から０．３倍の間の距離に位置付けられていることを特徴とする、請求項３に記載の機器。
［５］
前記注入デバイスが、トーラスであり、注入オリフィスが設けられており、前記トーラスが、前記プロペラの前記直径の２０％から２００％の間の直径を有し、好ましくは、前記プロペラの前記直径の３０％から１２０％の間の直径を有することを特徴とする、請求項３に記載の機器。
［６］
前記注入デバイスが、トーラスであり、注入オリフィスが設けられており、前記トーラスの内部スペースが、異なるガスを供給されることが可能な少なくとも２つの別々のゾーンへ区分化されていることを特徴とする、請求項３に記載の機器。
［７］
前記注入トーラスと傾斜したブレードを備える前記モバイルエアレーターとの間の前記距離が、前記モバイルエアレーターの前記直径の１％から２０％の間であり、好ましくは、前記モバイルエアレーターの前記直径の２．５％に近いことを特徴とする、請求項３から６までのいずれか一項に記載の機器。
［８］
前記注入デバイスが、多孔性のキャンドルフィルタータイプ、または多孔性のプレートタイプ、または穿孔されたプレートタイプの多孔性の要素のアッセンブリにより形成されており、前記多孔性の要素が、好ましくは、合計で３つであり、前記プロペラの前記垂直軸の上に中心を置いた垂直方向円筒体によって画定されている体積部の中に位置しており、前記垂直方向円筒体が、好ましくは前記プロペラの前記直径の少なくとも３倍に等しい外径を有し、好ましくは前記プロペラの前記直径の少なくとも３倍に等しい高さを有することを特徴とする、請求項１に記載の機器。
［９］
前記機器が、１つまたは複数の浮遊体（３）の存在のおかげで浮遊しており、前記浮遊体の前記下側面と前記プロペラの前記上側前縁部との間の前記距離が、前記プロペラの前記直径の０．５倍から１．５倍の間であり、好ましくは、前記プロペラの前記直径の０．８倍から１．０倍の間であることを特徴とする、請求項１から８までのいずれか一項に記載の機器。
［１０］
傾斜したブレードを備える前記モバイルエアレーターが、２つから１２個のブレード、好ましくは４つから８つのブレード、好ましくは前記シャフトの前記端部に位置する前記プロペラのブレード数の偶数倍を含むことを特徴とする、請求項１から９までのいずれか一項に記載の機器。
［１１］
傾斜したブレードを備える前記モバイルエアレーターが、前記注入デバイスの下方に、前記注入デバイスから５ｍｍから１００ｍｍの間の距離に位置付けられていることを特徴とする、請求項１から１０までのいずれか一項に記載の機器。
［１２］
前記機器が、少なくとも２つのプレート（１１）のアッセンブリを備え、前記少なくとも２つのプレート（１１）のアッセンブリは、実質的に平行六面体または台形の形態を備え、前記水位線の下方に位置付けされており、前記プレートが、一方の端部において本体部に固定され、前記注入機器の前記構成要素に完全にまたは部分的に接合されており、とりわけ、前記注入デバイス（７）と浮遊要素とが、前記機器が浮遊していることを可能にし、前記プレートが、前記プロペラの駆動軸に向けて方向付けられていることを特徴とする、請求項１から１１までのいずれか一項に記載の機器。
【図１】
0005944491.tif 000002
【図２】
0005944491.tif 000003
【図３】
0005944491.tif 000004